(57)【要約】【課題】ろ材充填部への通水により発生する圧力損失を低減することができる浄水器を提供する。【解決手段】原水Ｗがろ材充填部６５を径方向に通流してろ過されるように構成され、ろ材充填部６５の軸方向Ｘの一端側から他端側までの長さが、ろ材充填部６５の径方向の外周側側面と内周側側面との間の長さよりも長く形成され、かつ、ろ材充填部６５に通水する原水Ｗの流量を一定の流量とする場合において、原水Ｗがろ材充填部６５の外周側側面と内周側側面との間を径方向に通水する場合の線速度が、原水Ｗがろ材充填部６５の軸方向Ｘの一端側の端面と他端側の端面との間を軸方向Ｘに通水すると仮定した場合の線速度よりも小さくなるように、外周側側面、内周側側面、軸方向Ｘの一端側の端面及び他端側の端面の面積が設定されている。【選択図】図１
2016172225.tif 000002
【特許請求の範囲】
【請求項１】
原水が流入する流入口及び浄水が流出する流出口を有する外ケースと、前記外ケースの内部にろ材が充填されたろ材充填部とが設けられた浄水器であって、
前記ろ材充填部が中空円筒状に形成され、
前記ろ材充填部の外周側側面の周方向に沿って配設される外フィルタと前記ろ材充填部の内周側側面の周方向に沿って配設される内フィルタとが備えられ、
前記内フィルタの内周側において前記ろ材充填部の軸方向に延びる状態で設けられる集合流路と、前記外フィルタの外周側と前記外ケースの内周側との間において前記軸方向に延びる状態で設けられる外周流路とを備え、
前記原水が前記流入口から前記集合流路及び前記外周流路の何れか一方に導かれ、前記外周流路と前記集合流路との間で前記ろ材充填部を径方向に通流してろ過され、ろ過された前記浄水が前記集合流路及び前記外周流路の他方により前記流出口に導かれるように構成され、
前記ろ材充填部の前記軸方向の一端側から他端側までの長さが、前記ろ材充填部の径方向の前記外周側側面と前記内周側側面との間の長さよりも長く形成され、かつ、前記ろ材充填部に通水する前記原水の流量を一定の流量とする場合において、前記原水が前記ろ材充填部の前記外周側側面と前記内周側側面との間を径方向に通水する場合の線速度が、前記原水が前記ろ材充填部の前記軸方向の前記一端側の端面と前記軸方向の前記他端側の端面との間を前記軸方向に通水すると仮定した場合の線速度よりも小さくなるように、前記外周側側面、前記内周側側面、前記軸方向の前記一端側の端面及び前記他端側の端面の面積が設定されている浄水器。
【請求項２】
前記流入口又は前記流出口が前記軸方向における前記外ケースの一端側に設けられ、
前記外フィルタを支持する外フィルタ支持体が、前記外フィルタの前記軸方向の他端側において当該外フィルタの外周面の周方向の全周に沿って設けられ、
前記外周流路を前記軸方向の他端側において前記外フィルタ支持体の周方向の全周に沿ってシールする外側シール部材が、前記外フィルタ支持体と前記外ケースとの間に設けられている請求項１に記載の浄水器。
【請求項３】
前記内フィルタの内周側に、中空糸膜が設けられた管内流路を形成する内側管が前記軸方向に延びる状態で備えられ、
前記集合流路が前記内フィルタと前記内側管との間に形成され、
前記管内流路の一端側が前記外ケースの前記軸方向における一端側に設けられた前記流入口又は前記流出口と連通し、前記管内流路の他端側が前記外ケースの前記軸方向における他端側において前記集合流路と連通するように構成され、
前記内フィルタを支持する内フィルタ支持体が、前記内フィルタの前記軸方向の一端側において当該内フィルタの内周面の周方向の全周に沿って設けられ、
前記集合流路を前記軸方向の一端側において前記内側管の周方向の全周に沿ってシールする内側シール部材が、前記内フィルタ支持体と前記内側管との間に設けられている請求項１又は２に記載の浄水器。
【請求項４】
前記原水が前記ろ材充填部を前記外周流路から前記集合流路へ向う径内方向に通水する請求項１〜３の何れか１項に記載の浄水器。
【請求項５】
前記原水が前記ろ材充填部を前記集合流路から前記外周流路へ向う径外方向に通水する請求項１〜３の何れか１項に記載の浄水器。
【請求項６】
浄水を貯水する貯水槽と貯水した前記浄水が流出する流出口とを有する外ケースと、前記外ケースに収容され原水を貯水する原水槽と、前記外ケースの内部にろ材が充填されたろ材充填部とが設けられた浄水器であって、
前記ろ材充填部が中空円筒状に形成され、
前記ろ材充填部の外周側側面に配設される外フィルタと前記ろ材充填部の内周側側面に配設される内フィルタとが備えられ、
前記内フィルタの内周側において前記ろ材充填部の軸方向に延びる状態で設けられる集合流路を備え、
前記原水が前記原水槽から前記集合流路に導かれ、前記ろ材充填部を前記集合流路から前記外フィルタに向かう径外方向に通流してろ過され、ろ過された前記浄水が前記外フィルタの外周側を通流して前記貯水槽に導かれるように構成され、
前記ろ材充填部の前記軸方向の一端側から他端側までの長さが、前記ろ材充填部の径方向の前記外周側側面と前記内周側側面との間の長さよりも長く形成され、かつ、前記ろ材充填部に通水する前記原水の流量を一定の流量とする場合において、前記原水が前記ろ材充填部の前記外周側側面と前記内周側側面との間を径方向に通水する場合の線速度が、前記原水が前記ろ材充填部の前記軸方向の前記一端側の端面と前記軸方向の前記他端側の端面との間を前記軸方向に通水すると仮定した場合の線速度よりも小さくなるように、前記外周側側面、前記内周側側面、前記一端側の端面及び前記他端側の端面の面積が設定されている浄水器。
【請求項７】
浄水を貯水する貯水槽と貯水した前記浄水が流出する流出口とを有する外ケースと、前記外ケースに収容され原水を貯水する原水槽と、前記外ケースの内部にろ材が充填されたろ材充填部とが設けられた浄水器であって、
前記ろ材充填部が中空円筒状に形成され、
前記ろ材充填部の外周側側面に配設される外フィルタと前記ろ材充填部の内周側側面に配設される内フィルタとが備えられ、
前記外ケースに収容され、前記原水が前記原水槽から流入する流入部及び前記浄水が貯水槽に流出する流出部を有する円筒状の中間部材が備えられ、
前記内フィルタの内周側において前記ろ材充填部の軸方向に延びる状態で設けられる集合流路と、前記外フィルタの外周側と前記中間部材の内周側との間において前記軸方向に延びる状態で設けられた中間流路とを備え、
前記原水が前記原水槽から前記中間流路に導かれ、前記ろ材充填部を前記中間流路から前記集合流路に向かう径内方向に通流してろ過され、ろ過された前記浄水が前記集合流路を通流して前記流出部に導かれるように構成され、
前記ろ材充填部の前記軸方向の一端側から他端側までの長さが、前記ろ材充填部の径方向の前記外周側側面と前記内周側側面との間の長さよりも長く形成され、かつ、前記ろ材充填部に通水する前記原水の流量を一定の流量とする場合において、前記原水が前記ろ材充填部の前記外周側側面と前記内周側側面との間を径方向に通水する場合の線速度が、前記原水が前記ろ材充填部の前記軸方向の前記一端側の端面と前記軸方向の前記他端側の端面との間を前記軸方向に通水すると仮定した場合の線速度よりも小さくなるように、前記外周側側面、前記内周側側面、前記一端側の端面及び前記他端側の端面の面積が設定されている浄水器。
【請求項８】
前記ろ材が、粒子サイズが４８〜３００メッシュの活性炭粒子である請求項１〜７の何れか１項に記載の浄水器。
【発明の詳細な説明】
【技術分野】
【０００１】
本発明は、原水が流入する流入口及び浄水が流出する流出口を有する外ケースと、前記外ケースの内部にろ材が充填されたろ材充填部とが設けられた浄水器に関する。
【背景技術】
【０００２】
かかる浄水器の従来例として、軸方向の一端側から他端側までの長さが、径方向の外周側側面と内周側側面との間の長さよりも長くなるように形成された筒状のろ材充填部が備えられ、外ケースの流入口から流入した原水がろ材充填部の軸方向に通水されてろ過され、ろ過後の浄水が外ケースの流出口から流出されるように構成されたものがある（例えば、特許文献１参照）。
【先行技術文献】
【特許文献】
【０００３】
【特許文献１】特開２００３−３４０４４５号公報
【発明の概要】
【発明が解決しようとする課題】
【０００４】
上記特許文献１の浄水器のように、ろ材が充填されたろ材充填部を備えた浄水器において発生する圧力損失は、ろ材充填部における原水の通流量を原水の通水方向に直交するろ材断面積で除した線速度、及び、原水がろ材を通過するろ過長に比例して増加する。
【０００５】
そして、上記特許文献１の浄水器のように原水をろ材充填部の軸方向に通水してろ過する場合には、原水をろ材充填部の径方向に通水してろ過する場合に比べて、ろ過長が長くなることに加え、原水が通水する通水方向に直交するろ材断面積が小さくなるので、原水の通流量を通水方向に直交するろ材断面積で除した線速度が増加する。よって、上記特許文献１の浄水器では、原水をろ材充填部に通水する際に発生する圧力損失が比較的大きくなるという問題があった。
【０００６】
本発明は、かかる点に着目してなされたものであり、その目的は、ろ材充填部への通水により発生する圧力損失を低減することができる浄水器を提供する点にある。
【課題を解決するための手段】
【０００７】
この目的を達成するための本発明に係る浄水器は、
原水が流入する流入口及び浄水が流出する流出口を有する外ケースと、前記外ケースの内部にろ材が充填されたろ材充填部とが設けられた浄水器であって、
前記ろ材充填部が中空円筒状に形成され、
前記ろ材充填部の外周側側面の周方向に沿って配設される外フィルタと前記ろ材充填部の内周側側面の周方向に沿って配設される内フィルタとが備えられ、
前記内フィルタの内周側において前記ろ材充填部の軸方向に延びる状態で設けられる集合流路と、前記外フィルタの外周側と前記外ケースの内周側との間において前記軸方向に延びる状態で設けられる外周流路とを備え、
前記原水が前記流入口から前記集合流路及び前記外周流路の何れか一方に導かれ、前記外周流路と前記集合流路との間で前記ろ材充填部を径方向に通水してろ過され、ろ過された前記浄水が前記集合流路及び前記外周流路の他方により前記流出口に導かれるように構成され、
前記ろ材充填部の前記軸方向の一端側から他端側までの長さが、前記ろ材充填部の径方向の前記外周側側面と前記内周側側面との間の長さよりも長く形成され、かつ、前記ろ材充填部に通水する前記原水の流量を一定の流量とする場合において、前記原水が前記ろ材充填部の前記外周側側面と前記内周側側面との間を径方向に通水する場合の線速度が、前記原水が前記ろ材充填部の前記軸方向の前記一端側の端面と前記軸方向の前記他端側の端面との間を前記軸方向に通水すると仮定した場合の線速度よりも小さくなるように、前記外周側側面、前記内周側側面、前記一端側の端面及び前記他端側の端面の面積が設定されている点にある。
【０００８】
上記特徴構成によれば、ろ材充填部の軸方向の一端側から他端側までの長さが、ろ材充填部の径方向の外周側側面と内周側側面との間の長さよりも長く形成された状態において、原水をろ材充填部の径方向に通水してろ過するから、ろ過長が原水がろ材充填部を軸方向に通水する場合のろ過長に比べて短くなる。
【０００９】
さらに、上記特徴構成によれば、ろ材充填部に通水する原水の流量を一定の流量とする場合において、原水がろ材充填部の外周側側面と内周側側面との間を径方向に通水する場合の線速度が、原水がろ材充填部の軸方向の一端側の端面と軸方向の他端側の端面との間を軸方向に通水すると仮定した場合の線速度よりも小さくなるように、ろ材充填部の外周側側面、内周側側面、一端側の端面及び他端側の端面の面積が設定されている。つまり、原水がろ材充填部を径方向に通流するときの線速度が、原水がろ材充填部を軸方向に通水すると仮定した場合の線速度よりも小さくなるように、原水がろ材充填部を径方向に通水する場合の通水方向に直交するろ材断面積と、原水がろ材充填部を軸方向に通水する場合の通水方向に直交するろ材断面積とが設定されていることとなる。
【００１０】
よって、原水がろ材充填部を径方向に通水するろ過長が、ろ材充填部を軸方向に通水する場合のろ過長よりも短くなることに加え、原水がろ材充填部を径方向に通水するときの線速度が、ろ材充填部を軸方向に通水する場合の線速度よりも小さくなるので、原水がろ材充填部を径方向に通水することにより発生する圧力損失を、原水がろ材充填部の軸方向に通水する場合に発生する圧力損失よりも低減することができる。
【００１１】
なお、原水がろ材充填部を径方向に通水すると、原水がろ材充填部を軸方向に通水する場合に比べてろ過長が短くなるが、ろ材充填部に通水する原水の流量を一定の流量とする場合において、同体積のろ材がろ材充填部に充填されている場合には、原水を浄化する浄化性能は同等となる。よって、原水がろ材充填部を軸方向に通水する場合に比べて、ろ過性能を低下させることなく、ろ材充填部に通水することにより発生する圧力損失を低減することができる。
【００１２】
本発明に係る浄水器の更なる特徴構成は、
前記流入口又は前記流出口が前記軸方向における前記外ケースの一端側に設けられ、
前記外フィルタを支持する外フィルタ支持体が、前記外フィルタの前記軸方向の他端側において当該外フィルタの外周面の周方向の全周に沿って設けられ、
前記外周流路を前記軸方向の他端側において前記外フィルタ支持体の周方向の全周に沿ってシールする外側シール部材が、前記外フィルタ支持体と前記外ケースとの間に設けられている点にある。
【００１３】
上記特徴構成によれば、外周流路の他端側に外側シール部材が設けられているので、ろ材充填部の軸方向の一端側から他端側にわたる広い範囲において外周流路を形成することができる。また、外周流路の他端側において原水又は浄水が通流することが防止されるので、外周流路の他端側において原水又は浄水が外周流路から漏洩することを防止することができる。
【００１４】
さらに、外フィルタ支持体の周方向の全周に沿って、外フィルタ支持体と外ケースとの間に外側シール部材が設けられているので、外側シール部材により外フィルタ支持体を外ケースに対して位置決めすることができ、容易に外フィルタ支持体と外ケースとの間に外周流路を形成することができる。
【００１５】
本発明に係る浄水器の更なる特徴構成は、
前記内フィルタの内周側に、中空糸膜が設けられた管内流路を形成する内側管が前記軸方向に延びる状態で備えられ、
前記集合流路が前記内フィルタと前記内側管との間に形成され、
前記管内流路の一端側が前記外ケースの前記軸方向における一端側に設けられた前記流入口又は前記流出口と連通し、前記管内流路の他端側が前記外ケースの前記軸方向における他端側において前記集合流路と連通するように構成され、
前記内フィルタを支持する内フィルタ支持体が、前記内フィルタの前記軸方向の一端側において当該内フィルタの内周面の周方向の全周に沿って設けられ、
前記集合流路を前記軸方向の一端側において前記内側管の周方向の全周に沿ってシールする内側シール部材が、前記内フィルタ支持体と前記内側管との間に設けられている点にある。
【００１６】
上記特徴構成によれば、外ケースの一端側から他端側に延びる管内流路に中空糸膜を収容する状態として、中空糸膜によりろ材充填部から集合流路に流出する浄水又は集合流路からろ材充填部に流入する原水の流れを妨げないようにして、外ケースの内部において円滑に原水又は浄水を流動させる状態で、原水又は浄水中に含まれる菌や微細な粒子等を適切に除去することができる。
【００１７】
そして、このように中空糸膜が設けられた内側管を備える場合において、集合流路の一端側に内側シール部材が設けられているので、ろ材充填部の軸方向の他端側から一端側にわたる広い範囲において集合流路を形成することができる。また、集合流路の一端側において原水又は浄水が通流することが防止されるので、集合流路の一端側において原水又は浄水が集合流路から漏洩することを防止することができる。
【００１８】
さらに、内側管の周方向の全周に沿って、内フィルタ支持体と内側管との間に内側シール部材が設けられているので、内側シール部材により内側管を内フィルタ支持体に対して位置決めすることができ、容易に内フィルタ支持体と内側管との間に集合流路を形成することができる。
【００１９】
本発明に係る浄水器の更なる特徴構成は、
前記原水が前記ろ材充填部を前記外周流路から前記集合流路へ向う径内方向に通水する点にある。
【００２０】
上記特徴構成によれば、通水方向がろ材充填部の軸心（径内方向）に向いていることでろ材充填部の構造の安定性が向上し、ろ材充填部が変形して漏水などが発生する可能性を低減することができる。
【００２１】
本発明に係る浄水器の更なる特徴構成は、
前記原水が前記ろ材充填部を前記集合流路から前記外周流路へ向う径外方向に通水する点にある。
【００２２】
上記特徴構成によれば、原水がろ材充填部を集合流路から外周流路へ向う径外方向に通水する状態で、原水をろ過することができる。
【００２３】
この目的を達成するための本発明に係る浄水器は、
浄水を貯水する貯水槽と貯水した前記浄水が流出する流出口とを有する外ケースと、前記外ケースに収容され原水を貯水する原水槽と、前記外ケースの内部にろ材が充填されたろ材充填部とが設けられた浄水器であって、その特徴構成は、
前記ろ材充填部が中空円筒状に形成され、
前記ろ材充填部の外周側側面に配設される外フィルタと前記ろ材充填部の内周側側面に配設される内フィルタとが備えられ、
前記内フィルタの内周側において前記ろ材充填部の軸方向に延びる状態で設けられる集合流路を備え、
前記原水が前記原水槽から前記集合流路に導かれ、前記ろ材充填部を前記集合流路から前記外フィルタに向かう径外方向に通流してろ過され、ろ過された前記浄水が前記外フィルタの外周側を通流して前記貯水槽に導かれるように構成され、
前記ろ材充填部の前記軸方向の一端側から他端側までの長さが、前記ろ材充填部の径方向の前記外周側側面と前記内周側側面との間の長さよりも長く形成され、かつ、前記ろ材充填部に通水する前記原水の流量を一定の流量とする場合において、前記原水が前記ろ材充填部の前記外周側側面と前記内周側側面との間を径方向に通水する場合の線速度が、前記原水が前記ろ材充填部の前記軸方向の前記一端側の端面と前記軸方向の前記他端側の端面との間を前記軸方向に通水すると仮定した場合の線速度よりも小さくなるように、前記外周側側面、前記内周側側面、前記一端側の端面及び前記他端側の端面の面積が設定されている点にある。
【００２４】
上記特徴構成によれば、原水がろ材充填部を通水するろ過長が、ろ材充填部を軸方向に通水する場合のろ過長よりも短くなることに加え、原水がろ材充填部を通流するときの線速度が、ろ材充填部を軸方向に通水する場合の線速度よりも小さくなるので、原水がろ材充填部への通水により発生する圧力損失を、原水がろ材充填部を軸方向に通水する場合よりも低減することができる。また、原水がろ材充填部を集合流路から外フィルタに向う径外方向に通水する状態で、原水をろ過することができる。
【００２５】
この目的を達成するための本発明に係る浄水器は、
浄水を貯水する貯水槽と貯水した前記浄水が流出する流出口とを有する外ケースと、前記外ケースに収容され原水を貯水する原水槽と、前記外ケースの内部にろ材が充填されたろ材充填部とが設けられた浄水器であって、その特徴構成は、
前記ろ材充填部が中空円筒状に形成され、
前記ろ材充填部の外周側側面に配設される外フィルタと前記ろ材充填部の内周側側面に配設される内フィルタとが備えられ、
前記外ケースに収容され、前記原水が前記原水槽から流入する流入部及び前記浄水が貯水槽に流出する流出部を有する円筒状の中間部材が備えられ、
前記内フィルタの内周側において前記ろ材充填部の軸方向に延びる状態で設けられる集合流路と、前記外フィルタの外周側と前記中間部材の内周側との間において前記軸方向に延びる状態で設けられた中間流路とを備え、
前記原水が前記原水槽から前記中間流路に導かれ、前記ろ材充填部を前記中間流路から前記集合流路に向かう径内方向に通流してろ過され、ろ過された前記浄水が前記集合流路を通流して前記流出部に導かれるように構成され、
前記ろ材充填部の前記軸方向の一端側から他端側までの長さが、前記ろ材充填部の径方向の前記外周側側面と前記内周側側面との間の長さよりも長く形成され、かつ、前記ろ材充填部に通水する前記原水の流量を一定の流量とする場合において、前記原水が前記ろ材充填部の前記外周側側面と前記内周側側面との間を径方向に通水する場合の線速度が、前記原水が前記ろ材充填部の前記軸方向の前記一端側の端面と前記軸方向の前記他端側の端面との間を前記軸方向に通水すると仮定した場合の線速度よりも小さくなるように、前記外周側側面、前記内周側側面、前記一端側の端面及び前記他端側の端面の面積が設定されている点にある。
【００２６】
上記特徴構成によれば、原水がろ材充填部を通水するろ過長が、ろ材充填部を軸方向に通水する場合のろ過長よりも短くなることに加え、原水がろ材充填部を通流するときの線速度が、ろ材充填部を軸方向に通水する場合の線速度よりも小さくなるので、原水がろ材充填部への通水により発生する圧力損失を、原水がろ材充填部を軸方向に通水する場合よりも低減することができる。
また、通水方向がろ材充填部の軸心（径内方向）に向いていることでろ材充填部の構造の安定性が向上し、ろ材充填部が変形して漏水などが発生する可能性を低減することができる。
【００２７】
本発明に係る浄水器の更なる特徴構成は、
前記ろ材が、粒子サイズが４８〜３００メッシュの活性炭粒子である点にある。
【００２８】
上記特徴構成によれば、ろ材が活性炭粒子とされるので、原水に含まれる塩素等を除去することができる。また、活性炭粒子の粒子サイズが４８〜３００メッシュとされるので、ろ材充填部に充填された活性炭粒子同士の間に適切に原水が流れる隙間が形成され、通水時の圧力損失の増加を抑制することができる。
【図面の簡単な説明】
【００２９】
【図１】第１実施形態に係る通水方向を径内方向とする浄水器を示す概略側断面図
【図２】第１実施形態に係る通水方向を径外方向とする浄水器を示す概略側断面図
【図３】第２実施形態に係る浄水器を示す概略側断面図
【図４】第３実施形態に係る浄水器を示す概略側断面図
【発明を実施するための形態】
【００３０】
〔第１実施形態〕
本発明に係る浄水器の第１実施形態について、図面に基づいて説明する。
図１に示す浄水装置は、キッチンカウンターに設置されるカウンタートップ型浄水装置として構成されており、蛇口１に接続される切替バルブ２から給水ホース３を通じて原水Ｗが供給される浄水装置本体４と、浄水カートリッジ６でろ過された浄水Ｖを浄水吐出口９に導いて吐出する浄水吐出管８とを備えている。
【００３１】
浄水装置本体４は、原水Ｗをろ過する浄水器としての浄水カートリッジ６と、浄水カートリッジ６を収容する本体ケーシング部材４１とにより構成され、本体ケーシング部材４１のホース接続部４１ａに給水ホース３が接続され、吐出管接続部４１ｂに浄水吐出管８が接続されている。
【００３２】
浄水カートリッジ６を収容する本体ケーシング部材４１は、例えば、図１に示すように、本体ケーシング下部４１ｃと本体ケーシング上部４１ｄとを備えている。本体ケーシング上部４１ｄは円筒状に形成され、その上端側が閉塞され、下端側の内周面には雌ネジが形成されている。また、本体ケーシング下部４１ｃも円筒状に形成さており、上端部の外周面には本体ケーシング上部４１ｄの外周面の雌ネジと螺合する雄ネジが形成され、雄ネジが形成された部位よりも下方の内周側には径方向に延びる円板状の載置部４１ｅが形成されている。本体ケーシング上部４１ｄの雌ネジと本体ケーシング下部４１ｃの雄ネジを螺合させて本体ケーシング上部４１ｄを本体ケーシング下部４１ｃに取付けると、本体ケーシング部材４１の内部に浄水カートリッジ６を収容する浄水カートリッジ収容空間が形成されるように構成されている。
【００３３】
よって、浄水カートリッジ６を本体ケーシング部材４１内に収容する際には、本体ケーシング下部４１ｃの上方側から本体ケーシング下部４１ｃの載置部４１ｅに浄水カートリッジ６を載置して、本体ケーシング下部４１ｃの上端側の外周面に形成された雄ネジを、本体ケーシング上部４１ｄの下端側の内周面に形成された雌ネジに螺合させた状態で、本体ケーシング上部４１ｄを周方向に回転させることで、本体ケーシング上部４１ｄにより浄水カートリッジ６を本体ケーシング下部４１ｃに向かって押圧する状態で、浄水カートリッジ６を本体ケーシング部材４１内に収容することができる。一方、本体ケーシング上部４１ｄを本体ケーシング下部４１ｃから取外すことで、本体ケーシング部材４１の内部に収容された浄水カートリッジ６を取外すことができる。
【００３４】
なお、蛇口１に接続される切替バルブ２は、切替レバー２ａの揺動操作により、蛇口１から受け入れた原水Ｗを給水ホース３を通じて浄水装置本体４に供給して浄水Ｖを浄水吐出口９から浄水Ｖを吐出させる浄水吐出状態と、蛇口１から受け入れた原水Ｗを図示しない原水吐出口から吐出させる原水吐出状態と、蛇口１から受け入れた原水Ｗを図示しないシャワー口から吐出させるシャワー状態とに切替自在に構成されている。
【００３５】
次に、浄水カートリッジ６について具体的に説明する。
図１に示すように、浄水カートリッジ６には、原水Ｗが流入する流入口６０及び浄水Ｖが流出する流出口６７とを有する円筒状の外ケース６１と、外ケース６１の内部にろ材が充填された中空円筒状のろ材充填部６５とが設けられている。また、本体ケーシング部材４１のホース接続部４１ａを通じて給水ホース３から流入口６０に原水Ｗが流入するように構成され、本体ケーシング部材４１の吐出管接続部４１ｂを通じて流出口６７から浄水吐出管８に浄水Ｖが流出するように構成されている。
【００３６】
そして、流入口６０が、外ケース６１の外周面６１ｂの軸方向Ｘの一端側に設けられ、流出口６７が、外ケース６１の軸方向Ｘの一端側を形成する下面６１ｃに設けられている。なお、軸方向Ｘは図１における上下方向であり、軸方向Ｘの一方側を図１における下方側とし、軸方向Ｘの他方側を図１における上方側とする。よって、以下の説明においては、例えば、外ケース６１の軸方向Ｘの一端側を外ケース６１の下端側とし、外ケース６１の軸方向Ｘの他端側を外ケース６１の上端側として説明することがある。
【００３７】
ろ材充填部６５は中空円筒状に形成され、ろ材充填部６５の軸方向Ｘの一端側から他端側までの長さが、ろ材充填部６５の径方向の外周側側面と内周側側面との間の長さよりも長く形成されている。このろ材充填部６５に充填されるろ材は、粒子サイズが４８〜３００メッシュの活性炭粒子であり、この活性炭粒子が、原水Ｗに含まれる塩素成分等を吸着して、原水Ｗのカルキ臭が除去される。
【００３８】
ろ材充填部６５は、ろ材充填部６５に通水する原水Ｗの流量を一定の流量とする場合において、原水Ｗがろ材充填部６５の外周側側面と内周側側面との間を径方向に通水する場合の線速度が、原水Ｗがろ材充填部６５の軸方向Ｘの一端側の端面と他端側の端面との間を軸方向Ｘに通水すると仮定した場合の線速度よりも小さくなるように、外周側側面、内周側側面、軸方向Ｘの一端側の端面及び他端側の端面の面積が設定されている。
つまり、原水Ｗがろ材充填部６５を径方向に通流するときの線速度が、原水Ｗがろ材充填部６５を軸方向Ｘに通水すると仮定した場合の線速度よりも小さくなるように、原水Ｗがろ材充填部６５を径方向に通水する場合の通水方向に直交するろ材断面積と、原水Ｗがろ材充填部６５を軸方向Ｘに通水する場合の通水方向に直交するろ材断面積とが設定されることとなる。
【００３９】
また、ろ材充填部６５の外周側側面の周方向に沿って全周に外フィルタ６４が配設され、ろ材充填部６５の内周側側面の周方向に沿って全周に内フィルタ６３が配設されている。外フィルタ６４と内フィルタ６３は、通水可能であり、かつ、ろ材充填部６５への通水に伴ってろ材がろ材充填部６５内から流出することを防止することができるネットや不織布等で形成されている。なお、図示はしないが、ろ材充填部６５の上端側及び下端側においても、外フィルタ６４及び内フィルタ６３の上端側同士を接続する上端側フィルタ及び下端側同士を接続する下端側フィルタが設けられており、外フィルタ６４、内フィルタ６３、上端側フィルタ及び下端側フィルタによりろ材が充填されたろ材充填部６５が形成されている。
【００４０】
また、内フィルタ６３の内周側において、ろ材充填部６５の軸方向Ｘに延びる状態で設けられる集合流路６９が備えられている。具体的には、集合流路６９は内フィルタ６３と後述する内側管７０との間に設けられている。また、外フィルタ６４の外周側と外ケース６１の内周側との間において、軸方向Ｘに延びる状態で設けられる外周流路６８が備えられている。
【００４１】
浄水カートリッジ６には、内フィルタ６３の内周側に、ろ材充填部６５の軸方向Ｘに延びる内側管７０が備えられている。この内側管７０の内側に形成された管内流路７２において、中空糸膜７１がＵ字状に折り曲げた状態で設けられている。よって、ろ材充填部６５を通過して管内流路７２に流入した浄水Ｖが中空糸膜７１を通過するように構成されている。この中空糸膜７１により、浄水Ｖ中に含まれている細菌類、濁度成分が分離される。
【００４２】
そして、中空糸膜７１を通過した浄水Ｖが外ケース６１の軸方向Ｘにおける下端側に設けられた流出口６７から流出するように構成されている。一方、内側管７０の上端側の他端側開口部７０ｂと、外ケース６１の上端側の上面６１ｄとの間には隙間Ｐが形成され、集合流路６９から管内流路７２に、ろ材充填部６５を通過した浄水Ｖが通流自在に構成されている。つまり、管内流路７２が外ケース６１の軸方向Ｘにおける上端側において集合流路６９と連通するように構成されている。
【００４３】
一方、内側管７０の下端側には、内側管７０よりも大径の接続管部７０ａが内側管７０と連通する状態で接続されている。この接続管部７０ａの内周側に、中空糸膜７１を通過した浄水Ｖが流出するように構成されている。この接続管部７０ａは、外ケース６１の下面６１ｃの流出口６７の周囲において外ケース６１の内部に凸となるように形成された円筒状の環状凸部６１ａの内側に挿入されて接続されている。また、環状凸部６１ａの内周側と接続管部７０ａの外周側との間にはＯリング７３が設けられている。これにより、中空糸膜７１を通過した浄水Ｖが、環状凸部６１ａと接続管部７０ａとの間を流れて外周流路６８に戻ること、及び、外周流路６８を流れる原水Ｗが環状凸部６１ａと接続管部７０ａとの間を流れて流出口６７に漏洩することを防止することができる。
【００４４】
また、外フィルタ６４を支持する格子状の外フィルタ支持体６２ａが、外フィルタ６４の軸方向Ｘの下端側から上端側において外フィルタ６４の外周面の周方向の全周に沿って設けられている。この外フィルタ支持体６２ａには、通水用の外フィルタ支持体開口部６６ａが設けられている。
【００４５】
具体的には、外フィルタ支持体６２ａの上端部が、外フィルタ支持体６２ａの内周側に向かって円環状に形成されたフィルタ支持体上端面６２ｃを備えており、フィルタ支持体上端面６２ｃの内周部が内フィルタ支持体６２ｂの上端部と接続されている。また、外フィルタ支持体６２ａ及び内フィルタ支持体６２ｂの下端部が、夫々円環状のフィルタ支持体下部構成部材６２ｄに接続されており、外フィルタ支持体６２ａ、内フィルタ支持体６２ｂ及びフィルタ支持体下部構成部材６２ｄによって、ろ材充填部６５を収容するフィルタ支持ケース６２が形成されている。
【００４６】
そして、外フィルタ支持体６２ａの軸方向Ｘの他端側において、外周流路６８を外フィルタ支持体６２ａの周方向の全周に沿ってシールする外側シール部材８０が、外フィルタ支持体６２ａの外周面と外ケース６１の内周面との間に設けられている。この外側シール部材８０が外周流路６８の上端部として機能する。一方、外ケース６１の下面６１ｃによって外周流路６８の下端部が形成されている。よって、外フィルタ支持体６２ａの外周側の周方向の全周において、外フィルタ支持体６２ａの軸方向Ｘの他端側から一端側にわたって外周流路６８が形成されている。
【００４７】
具体的には、外側シール部材８０はＯリングにより構成され、外フィルタ支持体６２ａの上端側の周方向の全周に沿って形成された外側シール取付部６２ｅに取付けられている。これにより、外フィルタ支持体６２ａを外ケース６１の内部に取り付けることで、外側シール部材８０が外ケース６１の上端側の内周面に当接して外周流路６８の上端部がシールされる。
【００４８】
なお、この場合、外フィルタ支持体６２ａの上端側の周方向の全周に沿って外側シール取付部６２ｅが形成されているので、外フィルタ支持体６２ａの上端側には、通水用の外フィルタ支持体開口部６６ａを設けることができない。よって、外フィルタ支持体６２ａの上端側においては、外周流路６８からろ材形成部に原水Ｗを流入しない状態となる。この場合、ろ材充填部６５の一端側から他端側にわたる外周側側面の面積から、外側シール取付部６２ｅが形成され外周流路６８からろ材形成部の外周側側面から原水Ｗを流入するとができない面積を除した面積を、ろ材充填部６５の外周側側面の面積として、上述の線速度との関係においてその面積を設定してもよい。
つまり、上述の如く、ろ材充填部６５に通水する原水Ｗの流量を一定の流量とする場合において、原水Ｗがろ材充填部６５の外周側側面と内周側側面との間を径方向に通水する場合の線速度が、原水Ｗがろ材充填部６５の軸方向Ｘの一端側の端面と他端側の端面との間を軸方向Ｘに通水すると仮定した場合の線速度よりも小さくなるように、外周側側面、内周側側面、軸方向Ｘの一端側の端面及び他端側の端面の面積を設定してもよい。
【００４９】
そして、この外側シール部材８０が設けられているので、集合流路６９を流れる浄水Ｖが、軸方向Ｘの他端側において外ケース６１と外フィルタ支持体６２ａとの間を流れて外周流路６８に戻ること、及び、外周流路６８を流れる原水Ｗが、軸方向Ｘの他端側において外ケース６１と外フィルタ支持体６２ａとの間を流れて集合流路６９に漏洩することを防止することができる。
【００５０】
また、内フィルタ６３を支持する格子状の内フィルタ支持体６２ｂが、内フィルタ６３の軸方向Ｘの下端側から上端側において内フィルタ６３の内周面の周方向の全周に沿って設けられている。この内フィルタ支持体６２ｂには、通水用の内フィルタ支持体開口部６６ｂが設けられている。
【００５１】
そして、内フィルタ支持体６２ｂの軸方向Ｘの一端側において、集合流路６９を内フィルタ支持体６２ｂの周方向の全周に沿ってシールする内側シール部材８１が、内フィルタ支持体６２ｂと内側管７０との間に設けられている。この内側シール部材８１が集合流路６９の下端部として機能する。一方、外ケース６１の上面６１ｄによって集合流路６９の上端部が形成されている。よって、内フィルタ支持体６２ｂの内周側の周方向の全周において、内フィルタ支持体６２ｂの軸方向Ｘの他端側から一端側にわたって集合流路６９が形成されている。
【００５２】
具体的には、内側シール部材８１はＯリングにより構成され、内側管７０の外周面の下端側において、内側管７０の接続管部７０ａよりも上側に周方向の全周に沿って形成された内側シール取付部７０ｃに取付けられている。これにより、内側管７０の外周側に内フィルタ支持体６２ｂを取付けることで、内側シール部材８１としてのＯリングが内フィルタ支持体６２ｂの内周面に当接して集合流路６９の下端部がシールされる。
【００５３】
そして、この内側シール部材８１が設けられているので、集合流路６９を流れる浄水Ｖが、軸方向Ｘの一端側において内側管７０と内フィルタ支持体６２ｂとの間を流れて外周流路６８に戻ること、及び、外周流路６８を流れる原水Ｗが、軸方向Ｘの一端側において内側管７０と内フィルタ支持体６２ｂとの間を流れて集合流路６９に漏洩することを防止することができる。
【００５４】
上述の如く浄水カートリッジ６が構成され、原水Ｗが、外ケース６１の外周面６１ｂの軸方向Ｘの一端側に設けられた流入口６０から外ケース６１内に流入し、外フィルタ支持体６２ａの外周側の周方向の全周において、外フィルタ支持体６２ａの軸方向Ｘの一端側から他端側にわたって形成された外周流路６８を一端側から他端側まで流れ、ろ材充填部６５の一端側から他端側にわたって外フィルタ６４側から内フィルタ６３に向けて径内方向に通流して、内フィルタ支持体６２ｂの内周側の周方向の全周において、内フィルタ支持体６２ｂの軸方向Ｘの他端側から一端側にわたって形成されている集合流路６９に流出する。
【００５５】
そして、集合流路６９において内フィルタ支持体６２ｂの下端側から上端側に向かってろ材充填部６５を通過した浄水Ｖが流れ、内側管７０の上端側に設けられた他端側開口部７０ｂと、外ケース６１の上端側の上面６１ｄとの間に形成された隙間Ｐから、浄水Ｖが集合流路６９から内側管７０内に形成された管内流路７２に流入し、管内流路７２に流入した浄水Ｖが中空糸膜７１を通過し、中空糸膜７１を通過した浄水Ｖが流出口６７から外ケース６１の外部へ流出するように構成されている。
【００５６】
また、浄水カートリッジ６は、図２に示すように、流出口６７に原水Ｗを供給して、流入口６０から浄水Ｖが流出するように、浄水カートリッジ６に対する給水ホース３と浄水吐出管８の接続を変更し、原水Ｗが集合流路６９から外周流路６８に向かう径外方向にろ材充填部６５を通過して浄化する構成にしてもよい。このような構成にすることで、上記の圧力損失を低減することができる。
【００５７】
〔第２実施形態〕
本発明の第２実施形態について、図面に基づいて説明する。
第１実施形態では本発明に係る浄水器を水道の蛇口に取り付けるカウンタートップ型浄水装置に適用する例について説明したが、この第２実施形態においては、図３に示すように本発明に係る浄水器をポット型浄水器に適用する例について説明する。
【００５８】
この第２実施形態に係る浄水器としてのポット型浄水器１００は、外ケース６１が浄水Ｖを貯水する貯水槽１０２を有する点、及び、外ケース６１に原水Ｗを貯水する原水槽１０１が収容されている点で、第１実施形態に係る浄水器としての浄水カートリッジ６と異なるものである。
【００５９】
また、この第２実施形態に係る浄水器としてのポット型浄水器１００は、中空糸膜７１が設けられた管内流路７２を形成する内側管７０、外フィルタ支持体６２ａの周方向の全周に沿ってシールする外側シール部材８０、及び、内側管７０の周方向の全周に沿ってシールする内側シール部材８１が備えられていない点で第１実施形態に係る浄水器としての浄水カートリッジ６と異なるものである。
【００６０】
つまり、この第２実施形態に係る浄水器としてのポット型浄水器１００は、浄水Ｖを貯水する貯水槽１０２と貯水した浄水Ｖが流出する流出口６７とを有する外ケース６１と、外ケース６１に収容され原水Ｗを貯水する原水槽１０１と、外ケース６１の内部にろ材が充填されたろ材充填部６５とが設けられ、ろ材充填部６５が中空円筒状に形成され、
ろ材充填部６５の外周側側面に配設される外フィルタ６４とろ材充填部６５の内周側側面に配設される内フィルタ６３とが備えられ、内フィルタ６３の内周側においてろ材充填部６５の軸方向に延びる状態で設けられる集合流路６９を備えている。
【００６１】
また、原水Ｗが原水槽１０１から集合流路６９に導かれ、ろ材充填部６５を集合流路６９から外フィルタ６４に向かう径外方向に通流してろ過され、ろ過された浄水Ｖが外フィルタ６４の外周側を通流して貯水槽１０２に導かれるように構成されている。
【００６２】
そして、ろ材充填部６５の軸方向の一端側から他端側までの長さが、ろ材充填部６５の径方向の外周側側面と内周側側面との間の長さよりも長く形成され、かつ、ろ材充填部６５に通水する原水Ｗの流量を一定の流量とする場合において、原水Ｗがろ材充填部６５の外周側側面と内周側側面との間を径方向に通水する場合の線速度が、原水Ｗがろ材充填部６５の軸方向の一端側の端面と軸方向の他端側の端面との間を軸方向に通水すると仮定した場合の線速度よりも小さくなるように、外周側側面、内周側側面、一端側の端面及び他端側の端面の面積が設定されている。
【００６３】
なお、軸方向は図３における上下方向であり、軸方向の一方側を図３における下方側とし、軸方向の他方側を図３における上方側とする。よって、以下の説明においては、例えば、外ケース６１の軸方向の一端側を外ケース６１の下端側とし、外ケース６１の軸方向の他端側を外ケース６１の上端側として説明することがある。
【００６４】
具体的には、図３に示すポット型浄水器１００は、原水Ｗがろ材充填部６５を集合流路６９から外フィルタ６４に向かう外径方向に通流するものである。このポット型浄水器１００では、フィルタ支持ケース６２の下端側に設けられたフィルタ支持体下部構成部材６２ｄが、フィルタ支持ケース６２の内周側に形成された集合流路６９の下端側を塞ぐように構成されている。フィルタ支持ケース６２のフィルタ支持体上端面６２ｃには、フィルタ支持ケース６２を原水槽１０１の底部に設けられた開口部１０１ａに接続するための接続部６２ｆが設けられている。
【００６５】
このようにポット型浄水器１００が構成され、原水槽１０１に貯められた原水Ｗが、フィルタ支持ケース６２の内周側に設けられた集合流路６９に流入する。集合流路６９に流入した原水Ｗは、ろ材充填部６５を集合流路６９から外フィルタ６４に向かう外径方向に通水することでろ過され、ろ過された浄水Ｖが外ケース６１に備えられた貯水槽１０２に貯えられる。そして、外ケース６１を流出口６７側に傾けることで流出口６７から貯水槽１０２に貯えられた浄水Ｖを外部に流出させることができる。
【００６６】
〔第３実施形態〕
本発明の第３実施形態について、図面に基づいて説明する。この第３実施形態においても、図４に示すように本発明に係る浄水器をポット型浄水器に適用する例について説明する。
【００６７】
第３実施形態に係る浄水器としてのポット型浄水器２００は、外ケース６１が浄水Ｖを貯水する貯水槽１０２を有する点、外ケース６１に原水Ｗを貯水する原水槽１０１が収容されている点、及び、外ケース６１に収容され、原水Ｗが原水槽１０１から流入する流入部９０ａ及び浄水Ｖが貯水槽１０２に流出する流出部９０ｂを有する円筒状の中間部材としての中間ケース９０を備え、この中間ケース９０にろ材充填部６５が収容されている点で第１実施形態に係る浄水器と異なるものである。
【００６８】
また、ポット型浄水器２００は、中空糸膜７１が設けられた管内流路７２を形成する内側管７０、外フィルタ支持体６２ａの周方向の全周に沿ってシールする外側シール部材８０、及び、内側管７０の周方向の全周に沿ってシールする内側シール部材８１が備えられていない点で第１実施形態に係る浄水器としての浄水カートリッジ６と異なるものである。
【００６９】
つまり、この第３実施形態に係る浄水器としてのポット型浄水器２００は、浄水Ｖを貯水する貯水槽１０２と貯水した浄水Ｖが流出する流出口６７とを有する外ケース６１と、外ケース６１に収容され原水Ｗを貯水する原水槽１０１と、外ケース６１の内部にろ材が充填されたろ材充填部６５とが設けられ、ろ材充填部６５が中空円筒状に形成され、ろ材充填部６５の外周側側面に配設される外フィルタ６４とろ材充填部６５の内周側側面に配設される内フィルタ６３とが備えられ、外ケース６１に収容され、原水Ｗが原水槽１０１から流入する流入部９０ａ及び浄水Ｖが貯水槽１０２に流出する流出部９０ｂを有する円筒状の中間ケース９０が備えられている。
【００７０】
また、内フィルタ６３の内周側においてろ材充填部６５の軸方向に延びる状態で設けられる集合流路６９と、外フィルタ６４の外周側と中間ケース９０の内周側との間において軸方向に延びる状態で設けられた中間ケース流路９１とを備え、原水Ｗが原水槽１０１から中間ケース流路９１に導かれ、ろ材充填部６５を中間ケース流路９１から集合流路６９に向かう径内方向に通流してろ過され、ろ過された浄水Ｖが集合流路６９を通流して流出部９０ｂに導かれるように構成されている。
【００７１】
そして、ろ材充填部６５の軸方向の一端側から他端側までの長さが、ろ材充填部６５の径方向の外周側側面と内周側側面との間の長さよりも長く形成され、かつ、ろ材充填部６５に通水する原水Ｗの流量を一定の流量とする場合において、原水Ｗがろ材充填部６５の外周側側面と内周側側面との間を径方向に通水する場合の線速度が、原水Ｗがろ材充填部６５の軸方向の一端側の端面と軸方向の他端側の端面との間を軸方向に通水すると仮定した場合の線速度よりも小さくなるように、外周側側面、内周側側面、一端側の端面及び他端側の端面の面積が設定されている。
【００７２】
なお、軸方向は図４における上下方向であり、軸方向の一方側を図４における下方側とし、軸方向の他方側を図４における上方側とする。よって、以下の説明においては、例えば、外ケース６１の軸方向の一端側を外ケース６１の下端側とし、外ケース６１の軸方向の他端側を外ケース６１の上端側として説明することがある。
【００７３】
図４に示すポット型浄水器２００には、中間ケース９０がフィルタ支持ケース６２の外周側に設けられ、外フィルタ６４の外周側と中間ケース９０の内周面との間に中間ケース流路９１が形成されている。そして、中間ケース流路９１の上端側に原水槽１０１から原水Ｗが流入する流入部９０ａが設けられている。
また、中間ケース９０の上端部には、中間ケース９０を原水槽１０１の底部に設けられた開口部１０１ａに接続するための接続部９０ｃが設けられている。一方、中間ケース９０の下端部には、中間ケース流路９１を流れる原水Ｗが流出部９０ｂから流出することがないように外フィルタ支持体６２ａの周方向の全周に接触する状態で着脱自在に係合する外フィルタ支持体係合部９０ｄが形成されている。
【００７４】
このポット型浄水器２００では、フィルタ支持ケース６２の上端側に設けられたフィルタ支持体上端面６２ｃが、フィルタ支持ケース６２の内周側に形成された集合流路６９の上端側を塞ぐように構成されている。一方、フィルタ支持ケース６２の下端側に設けられたフィルタ支持体下部構成部材６２ｄに、フィルタ支持ケース６２の内周側に形成された集合流路６９の下端側を貯水槽１０２と連通させるための開口部６２ｇが形成されている。この開口部６２ｇは、中間ケース９０の下端部に設けられた流出部９０ｂと連通するように構成され、集合流路６９から浄水Ｖが貯水槽１０２に流出可能とされる。
【００７５】
このようにポット型浄水器２００が構成され、原水槽１０１に貯められた原水Ｗが、中間ケース流路９１に流入した後、中間ケース流路９１から集合流路６９に向かってろ材充填部６５を径内方向に通水することでろ過され、ろ過された浄水Ｖがフィルタ支持体下部構成部材６２ｄの開口部６２ｇ及び中間ケース９０の流出部９０ｂから流出して外ケース６１に備えられた貯水槽１０２に貯えられる。そして、外ケース６１を流出口６７側に傾けることで流出口６７から貯水槽１０２に貯えられた浄水Ｖを外部に流出させることができる。
【００７６】
〔別実施形態〕
以下、別実施形態を列記する。
（１）上記第１実施形態においては、浄水器としての浄水カートリッジ６を収容する本体ケーシング部材４１が設けられ、本体ケーシング部材４１に原水Ｗを供給する給水ホース３と、浄水カートリッジ６でろ過された浄水Ｖを吐出する浄水吐出管８とが接続されたが、これに限らず、本体ケーシング部材４１を設けずに、浄水カートリッジ６に給水ホース３と浄水吐出管８とを接続してもよい。
【００７７】
（２）上記第１実施形態においては、浄水カートリッジ６の外ケース６１の外周面６１ｂの一端側に原水Ｗが流入する流入口６０が設けられたが、これに限らず、流入口６０を外ケース６１の外周面６１ｂの上端側（他端側）に設けてもよい。この場合、外側シール部材８０を外ケース６１の下端側（一端側）に設けてもよい。その他、流入口６０を外ケース６１の下面６１ｃ又は上面６１ｄ又に設けてもよい。
【００７８】
（３）上記第１実施形態においては、内側に中空糸膜７１を備えた内側管７０が設けられたが、これに限らず、中空糸膜７１が省略された内側管７０を設けてもよい。その他、また、中空糸膜７１及び内側管７０を省略してもよく、この場合、内側シール部材８１を省略してもよい。
【００７９】
（４）上記第１実施形態においては、外フィルタ６４を支持する外フィルタ支持体６２ａが、外フィルタ６４の軸方向Ｘの下端側から上端側において外フィルタ６４の外周面の周方向の全周に沿って設けられたが、これに限らず、外フィルタ６４を支持する外フィルタ支持体６２ａが、外フィルタ６４の軸方向Ｘの上端側部分のみにおいて、外フィルタ６４の外周面の周方向の全周に沿って設けられていてもよい。
【００８０】
（５）上記第１実施形態においては、内フィルタ６３を支持する内フィルタ支持体６２ｂが、内フィルタ６３の軸方向Ｘの下端側から上端側において内フィルタ６３の内周面の周方向の全周に沿って設けられたが、これに限らず、内フィルタ６３を支持する内フィルタ支持体６２ｂが、内フィルタ６３の軸方向Ｘの上端側部分のみにおいて、内フィルタ６３の内周面の周方向の全周に沿って設けられていてもよい。
【００８１】
（６）上記第１実施形態においては、管内流路７２が外ケース６１の軸方向Ｘにおける上端側において集合流路６９と連通するように構成されたが、これに限らず、管内流路７２が外ケース６１の軸方向Ｘにおける下端側において集合流路６９と連通するように構成してもよい。つまり、内側管７０の下端側と外ケース６１の下端側の下面６１ｃとの間に隙間Ｐを形成し、かつ、流出口６７を上端側に設けるように構成してもよい。この場合、内側シール部材８１を内フィルタ支持体６２ｂの軸方向Ｘの他端側に設けてもよい。
【００８２】
（７）上記第１実施形態においては、外周流路６８を軸方向Ｘの他端側において外フィルタ支持体６２ａの周方向の全周に沿ってシールする外側シール部材８０が、外フィルタ支持体６２ａと外ケース６１との間に設けられたが、これに限らず、外周流路６８を軸方向Ｘの他端側において外フィルタ支持体６２ａの周方向の全周に沿ってシールする凸部を、外フィルタ支持体６２ａの上端側の周方向の全周に沿って設けてもよい。この場合、外フィルタ支持体６２ａの上端側の周方向の全周に沿って形成された外側シール取付部６２ｅを省略してもよい。
【００８３】
（８）上記第１実施形態においては、集合流路６９を軸方向Ｘの一端側において内側管７０の周方向の全周に沿ってシールする内側シール部材８１が、内フィルタ支持体６２ｂと内側管７０との間に設けられたが、これに限らず、集合流路６９を軸方向Ｘの一端側において内側管７０の周方向の全周に沿ってシールする凸部を、内側管７０の一端側の周方向の全周に沿って設けてもよい。又は、集合流路６９を軸方向Ｘの一端側において内側管７０の周方向の全周に沿ってシールする凸部を、内フィルタ支持体６２ｂの一端側の周方向の全周に沿って設けてもよい。この場合、内側管７０の外周面の下端側において、内側管７０の接続管部７０ａよりも上側に周方向の全周に沿って形成された内側シール取付部７０ｃを省略してもよい。
【００８４】
（９）上記第１実施形態においては、本発明に係る浄水器をカウンタートップ型浄水装置に適用する例について説明したが、本発明にかかる圧力損失を低減できる浄水器の種類はこれに限られるものではない。例えば、本発明に係る浄水器を蛇口直結型浄水器、アンダーシンク型浄水器、及び、水栓一体型浄水器に適用してもよい。
【００８５】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８６】
以上説明したように、ろ材充填部への通水により発生する圧力損失を低減することができる浄水器を提供することができる。
【符号の説明】
【００８７】
６      浄水カートリッジ（浄水器）
６０    流入口
６１    外ケース
６２ａ  外フィルタ支持体
６２ｂ  内フィルタ支持体
６３    内フィルタ
６４    外フィルタ
６５    ろ材充填部
６７    流出口
６８    外周流路
６９    集合流路
７０    内側管
７１    中空糸膜
７２    管内流路
８０    外側シール部材
８１    内側シール部材
９０    中間ケース（中間部材）
９０ａ  流入部
９０ｂ  流出部
１００  ポット型浄水器（浄水器）
２００  ポット型浄水器（浄水器）
１０１  原水槽
１０２  貯水槽
Ｖ      浄水
Ｗ      原水
Ｘ      軸方向
【図１】
2016172225.tif 000003
【図２】
2016172225.tif 000004
【図３】
2016172225.tif 000005
【図４】
2016172225.tif 000006